(57)【要約】【課題】  感光体ドラムなどの帯電装置の内部に発生する内部騒音を低減する静音機構付帯電装置を提供する。【解決手段】  画像担持体１ｄＡの内部に発生する内部騒音に対して、画像担持体１ｄＡ内に穿設された内周面が円錐面１２の内部空洞１０Ａによって、画像担持体１ｄＡの軸芯方向に指向性を設定することが可能になり、指向性が設定された内部騒音に対して、画像担持体１ｄＡの軸芯方向の一端に設けた吸音材１１Ａによって、吸音処理、消音処理或いは防音処理が行なわれ、内部騒音の静音化を行なうことが可能になる。【選択図】  図１
2006072091.tif 000002
【特許請求の範囲】
【請求項１】
被帯電体に帯電体を対接させ、帯電体によって被電体を帯電させる接触式の帯電装置、或いは被帯電体と帯電体とを、微小間隔を保って互いに対向させ、帯電体によって微小間隔を介して、被帯電体を帯電させる非接触式の帯電装置において、
前記被帯電体の内部騒音に指向性を設定する指向性設定手段と、
前記内部騒音に対して、吸音処理、消音処理或いは防音処理に基づく静音化を行なう静音手段と
を有することを特徴とする静音機構を備えた帯電装置。
【請求項２】
被帯電体に帯電体を対接させ、帯電体によって被電体を帯電させる接触式の電装置、或いは被帯電体と帯電体とを、微小間隔を保って互いに対向させ、帯電体によって微小間隔を介して、被帯電体を帯電させる非接触式の帯電装置の静音方法において、
前記被帯電体から発生する内部騒音に指向性を設定する指向性設定ステップと、
該指向性設定ステップで指向性が設定された前記内部騒音を集音し、吸音処理、消音処理或いは防音処理に基づいて静音化を行なう静音ステップと
を有することを特徴とする静音機構を備えた帯電装置の静音方法。
【請求項３】
指向性設定手段が、被帯電体内部に形成され、内周面が円錐面または類似円錐面、或いは円錐台面または類似円錐台面である空洞流路であり、
静音手段が、前記空洞流路の一端に配設された吸音材であることを特徴とする請求項１記載の静音機構を備えた帯電装置。
【請求項４】
指向性設定ステップでは、被帯電体内部に形成され、内周面が円錐面または類似円錐面、或いは円錐台面または類似円錐台面である空洞流路によって、内部騒音に指向性を設定し、
静音ステップでは、前記指向性設定ステップで指向性が設定された前記内部騒音を、前記空洞流路の被帯電体の軸芯方向の一端に配設された吸音材に集音して、吸音処理、消音処理或いは防音処理に基づいて静音化を行なうことを特徴とする請求項２記載の静音機構を備えた帯電装置の静音方法。
【請求項５】
指向性設定手段が、被帯電体内部に形成され、内周面が回転双曲面または類似回転双曲面である空洞流路であり、
静音手段が、前記空洞流路の被帯電体の軸芯方向の一端に配設された吸音材であることを特徴とする請求項１記載の静音機構を備えた帯電装置。
【請求項６】
指向性設定ステップでは、被帯電体内部に形成され、内周面が回転双曲面または類似回転双曲面である空洞流路によって、内部騒音に指向性を設定し、
静音ステップでは、前記指向性設定ステップで指向性が設定された前記内部騒音を、前記空洞流路の被帯電体の軸芯方向の一端に配設された吸音材に集音して、吸音処理、消音処理或いは防音処理に基づいて静音化を行なうことを特徴とする請求項２記載の静音機構を備えた帯電装置の静音方法。
【請求項７】
指向性設定手段が、被帯電体内部に形成され、内周面が回転放物面または類似回転放物面である空洞流路であり、
静音手段が、前記空洞流路の被帯電体の軸芯方向の一端に配設された吸音材であることを特徴とする請求項１記載の静音機構を備えた帯電装置。
【請求項８】
指向性設定ステップでは、被帯電体内部に形成され、内周面が回転双曲面または類似回転双曲面である空洞流路によって、内部騒音に指向性を設定し、
静音ステップでは、前記指向性設定ステップで指向性が設定された前記内部騒音を、前記空洞流路の被帯電体の軸芯方向の一端に配設された吸音材に集音して、吸音処理、消音処理或いは防音処理に基づいて静音化を行なうことを特徴とする請求項２記載の静音機構を備えた帯電装置の静音方法。
【請求項９】
指向性設定手段が、被帯電体内部に形成され、内周面が円錐面、円錐台面、回転双曲面、回転放物面、及びこれらに類似の曲面から選択された複数の曲面が連続配設された空洞流路であり、
静音手段が、前記空洞流路の被帯電体の軸芯方向の一端に配設された吸音材であることを特徴とする請求項１記載の静音機構を備えた帯電装置。
【請求項１０】
指向性設定ステップでは、被帯電体内部に形成され、内周面が円錐面、円錐台面、回転双曲面、回転放物面、及びこれらに類似の曲面から選択された複数の曲面が連続配設された空洞流路によって、内部騒音に指向性を設定し、
静音ステップでは、前記指向性設定ステップで指向性が設定された前記内部騒音を、前記空洞流路の被帯電体の軸芯方向の一端に配設された吸音材に集音して、吸音処理、消音処理或いは防音処理に基づいて静音化を行なうことを特徴とする請求項２記載の静音機構を備えた帯電装置の静音方法。
【発明の詳細な説明】
【技術分野】
【０００１】
本発明は、静音機構を備えた帯電装置とその静音方法に関する。
【背景技術】
【０００２】
近年では、複写機、ファクシミリ、画像形成装置などのオフィス機器の使用が急激に増大しており、オフィス業務の効率化、高速化の要求に対応して、この種のオフィス機器に対して、動作の高速化とカラー化機能とが要求されている。
このような高速化とカラー化の要求に応えたオフィス機器では、カラー化機能の付加に対応して１機器内での帯電回路部数が増加し、これに伴って動作時の帯電騒音が増大し、さらに、高速駆動化によって部品の振動が高速化し、振動騒音が増大している。
今後、この種のオフィス機器数の増加が見込まれることは確実であり、この種のオフィス機器から発生する騒音レベルを大幅に低減することが、解決すべき最重点の課題となることは明らかである。このために、従来は余り検討されていなかったオフィス機器を構成する中空構成ユニットに対しても、発生する内部騒音に吸音や消音の処理を施すことが必須の題要となる。
【０００３】
後記する特許文献１には、筒状の基部とこの基部から放射状に突出する複数の羽根を備えた制振部材を、感光体ドラム内部に羽根の先端が感光体ドラムの内周面に圧接する配設することにより、感光体ドラムの振動音を低減し、感光体ドラムの変形を阻止する技術が開示されている。
また、後記する非特許文献１によると、この種のオアィス機器から発生する帯電騒音の主な原因は、放電による気体の急膨張ではなく、放電による機械振動に基づくことが明らかにされている。
【特許文献１】特開平７−９２７７６号公報
【非特許文献１】「Ｖｉｂｒａｔｉｏｎ ａｎｄ Ｎｏｉｓｅ  Ｉｎｄｕｃｅｄ ｂ ｙ  Ｅｌｅｃｔｒｏｓｔａｔｉｃ Ｆｏｒｃｅ ｏｎ ａ Ｃｏｎｔａｃｔ Ｃｈａｒｇｅｒ Ｒｏｌｌｅｒ ｏｆ Ｅｌｅｃｔｒｏｐｈｏｔｏｇｒａｐｈｙ」Ｊｏｕｒｎａｌ ｏｆ Ｉｍａｇｉｎｇ Ｓｃｉｅｎｃｅ ａｎｄ Ｔｅｃｈｎｏｌｏｇｙ Ｖｏｌ．３９，Ｎｏ．６，Ｎｏｖ.／Ｄｅｃ．１９９５  Ｈｉｒｏｙｕｋｉ  Ｋａｗａｍｏｔｏ，Ｋｏｊｉ  Ｕｄａｇａｗａ，ａｎｄ  Ｍａｓａｈｉｒｏ  Ｍｏｒｉ  ｅｔ  ａｌ．
【発明の開示】
【発明が解決しようとする課題】
【０００４】
本発明は、前述したような帯電装置に対する騒音低減化の現状に鑑みてなされたものであり、その第１の目的は、感光体ドラムなどの帯電装置の内部に発生する内部騒音を低減する静音機構付帯電装置を提供することにある。
また、本発明の第２の目的は、感光体ドラムなどの帯電装置の内部に発生する内部騒音を低減する静音機構付帯電装置の静音方法を提供することにある。
【課題を解決するための手段】
【０００５】
前記第１の目的を達成するために、請求項１記載の第１の発明は、被帯電体に帯電体を対接させ、帯電体によって被電体を帯電させる接触式の帯電装置、或いは被帯電体と帯電体とを、微小間隔を保って互いに対向させ、帯電体によって微小間隔を介して、被帯電体を帯電させる非接触式の帯電装置において、前記被帯電体の内部騒音に指向性を設定する指向性設定手段と、前記内部騒音に対して、吸音処理、消音処理或いは防音処理に基づく静音化を行なう静音手段とを有することを特徴とするものである。
【０００６】
第１の発明は、被帯電体に帯電体を対接させ、帯電体によって被電体を帯電させる接触式の帯電装置、或いは被帯電体と帯電体とを、微小間隔を保って互いに対向させ、帯電体によって微小間隔を介して、被帯電体を帯電させる非接触式の帯電装置であるが、指向性設定手段によって、被帯電体の内部騒音に指向性が設定され、静音手段によって、指向性が設定された内部騒音に対して、吸音処理、消音処理或いは防音処理に基づく静音化が行なわれる。
【０００７】
前記第２の目的を達成するために、請求項２記載の第２の発明は、被帯電体に帯電体を対接させ、帯電体によって被電体を帯電させる接触式の電装置、或いは被帯電体と帯電体とを、微小間隔を保って互いに対向させ、帯電体によって微小間隔を介して、被帯電体を帯電させる非接触式の帯電装置の静音方法において、前記被帯電体から発生する内部騒音に指向性を設定する指向性設定ステップと、該指向性設定ステップで指向性が設定された前記内部騒音を集音し、吸音処理、消音処理或いは防音処理に基づいて静音化を行なう静音ステップとを有することを特徴とするものである。
【０００８】
第２の発明は、被帯電体に帯電体を対接させ、帯電体によって被電体を帯電させる接触式の電装置、或いは被帯電体と帯電体とを、微小間隔を保って互いに対向させ、帯電体によって微小間隔を介して、被帯電体を帯電させる非接触式の帯電装置の静音方法であるが、指向性設定ステップで、前記被帯電体から発生する内部騒音に指向性が設定され、静音ステップで、指向性設定ステップで指向性が設定された内部騒音が集音され、吸音処理、消音処理或いは防音処理に基づいて静音化が行なわれる。
【０００９】
前記第１の目的を達成するために、請求項３記載の第３の発明は、第１の発明において、指向性設定手段が、被帯電体内部に形成され、内周面が円錐面または類似円錐面、或いは円錐台面または類似円錐台面である空洞流路であり、静音手段が、前記空洞流路の被帯電体の軸芯方向の一端に配設された吸音材であることを特徴とするものである。
【００１０】
第３の発明では、被帯電体内部に形成され、内周面が円錐面または類似円錐面、或いは円錐台面または類似円錐台面である空洞流路を指向性設定手段とし、空洞流路の被帯電体の一端に配設された吸音材を静音手段として、第１の発明の作用が実行される。
【００１１】
前記第２の目的を達成するために、請求項４記載の第４の発明は、第２の発明において、指向性設定ステップでは、被帯電体内部に形成され、内周面が円錐面または類似円錐面、或いは円錐台面または類似円錐台面である空洞流路によって、内部騒音に指向性を設定し、静音ステップでは、前記指向性設定ステップで指向性が設定された前記内部騒音を、前記空洞流路の被帯電体の軸芯方向の一端に配設された吸音材に集音して、吸音処理、消音処理或いは防音処理に基づいて静音化を行なうことを特徴とするものである。
【００１２】
第４の発明では、指向性設定ステップで、被帯電体内部に形成され、内周面が円錐面または類似円錐面、或いは円錐台面または類似円錐台面である空洞流路によって、内部騒音に指向性が設定され、静音ステップで、指向性設定ステップで指向性が設定された内部騒音を、空洞流路の被帯電体の軸芯方向の一端に配設された吸音材に集音して、吸音処理、消音処理或いは防音処理に基づく静音化を行なうことにより、第２の発明での作用が実行される。
【００１３】
前記第１の目的を達成するために、請求項５記載の第５の発明は、第１の発明において、指向性設定手段が、被帯電体内部に形成され、内周面が回転双曲面または類似回転双曲面である空洞流路であり、静音手段が、前記空洞流路の被帯電体の軸芯方向の一端に配設された吸音材であることを特徴とするものである。
【００１４】
第５の発明では、被帯電体内部に形成され、内周面が回転双曲面または類似回転双曲面である空洞流路を指向性設定手段とし、空洞流路の被帯電体の軸芯方向の一端に配設された吸音材を静音手段として、第１の発明の作用が実行される。
【００１５】
前記第２の目的を達成するために、請求項６記載の第６の発明は、第２の発明において、指向性設定ステップでは、被帯電体内部に形成され、内周面が回転双曲面または類似回転双曲面である空洞流路によって、内部騒音に指向性を設定し、静音ステップでは、前記指向性設定ステップで指向性が設定された前記内部騒音を、前記空洞流路の被帯電体の軸芯方向の一端に配設された吸音材に集音して、吸音処理、消音処理或いは防音処理に基づいて静音化を行なうことを特徴とするものである。
【００１６】
第６の発明では、指向性設定ステップでは、被帯電体内部に形成され、内周面が回転双曲面または類似回転双曲面である空洞流路によって、内部騒音に指向性を設定し、静音ステップでは、指向性設定ステップで指向性が設定された内部騒音を、空洞流路の被帯電体の軸芯方向の一端に配設された吸音材に集音して、吸音処理、消音処理或いは防音処理に基づいて静音化を行なうことにより、第２の発明での作用が実行される。
【００１７】
前記第１の目的を達成するために、請求項７記載の第７の発明は、第１の発明において、指向性設定手段が、被帯電体内部に形成され、内周面が回転放物面または類似回転放物面である空洞流路であり、静音手段が、前記空洞流路の被帯電体の軸芯方向の一端に配設された吸音材であることを特徴とするものである。
【００１８】
第７の発明では、被帯電体内部に形成され、内周面が回転放物面または類似回転放物面である空洞流路を指向性設定手段とし、空洞流路の被帯電体の軸芯方向の一端に配設された吸音材を静音手段として、第１の発明での作用が実行される。
【００１９】
前記第２の目的を達成するために、請求項８記載の第８の発明は、第２の発明において、指向性設定ステップでは、被帯電体内部に形成され、内周面が回転双曲面または類似回転双曲面である空洞流路によって、内部騒音に指向性を設定し、静音ステップでは、前記指向性設定ステップで指向性が設定された前記内部騒音を、前記空洞流路の被帯電体の軸芯方向の一端に配設された吸音材に集音して、吸音処理、消音処理或いは防音処理に基づいて静音化を行なうことを特徴とするものである。
【００２０】
第８の発明では、指向性設定ステップでは、被帯電体内部に形成され、内周面が回転双曲面または類似回転双曲面である空洞流路によって、内部騒音に指向性を設定し、静音ステップでは、指向性設定ステップで指向性が設定された内部騒音を、空洞流路の被帯電体の軸芯方向の一端に配設された吸音材に集音して、吸音処理、消音処理或いは防音処理に基づいて静音化を行なうことにより、第２の発明での作用が実行される。
【００２１】
前記第１の目的を達成するために、請求項９記載の第９の発明は、第１の発明において、指向性設定手段が、被帯電体内部に形成され、内周面が円錐面、円錐台面、回転双曲面、回転放物面、及びこれらに類似の曲面から選択された複数の曲面が連続配設された空洞流路であり、静音手段が、前記空洞流路の被帯電体の軸芯方向の一端に配設された吸音材であることを特徴とするものである。
【００２２】
第９の発明では、被帯電体内部に形成され、内周面が円錐面、円錐台面、回転双曲面、回転放物面、及びこれらに類似の曲面から選択された複数の曲面が連続配設された空洞流路を指向性設定手段とし、空洞流路の被帯電体の軸芯方向の一端に配設された吸音材を静音手段として、第１の発明での作用が実行される。
【００２３】
前記第２の目的を達成するために、請求項１０記載の第１０の発明は、第２の発明において、指向性設定ステップでは、被帯電体内部に形成され、内周面が円錐面、円錐台面、回転双曲面、回転放物面、及びこれらに類似の曲面から選択された複数の曲面が連続配設された空洞流路によって、内部騒音に指向性を設定し、
静音ステップでは、前記指向性設定ステップで指向性が設定された前記内部騒音を、前記空洞流路の被帯電体の軸芯方向の一端に配設された吸音材に集音して、吸音処理、消音処理或いは防音処理に基づいて静音化を行なうことを特徴とするものである。
【００２４】
第１０の発明では、指向性設定ステップでは、被帯電体内部に形成され、内周面が円錐面、円錐台面、回転双曲面、回転放物面、及びこれらに類似の曲面から選択された複数の曲面が連続配設された空洞流路によって、内部騒音に指向性を設定し、静音ステップでは、指向性設定ステップで指向性が設定された内部騒音を、空洞流路の被帯電体の軸芯方向の一端に配設された吸音材に集音して、吸音処理、消音処理或いは防音処理に基づいて静音化を行なうことにより、第２の発明での作用が実行される。
【発明の効果】
【００２５】
第１の発明によると、被帯電体に帯電体を対接させ、帯電体によって被電体を帯電させる接触式の帯電装置、或いは被帯電体と帯電体とを、微小間隔を保って互いに対向させ、帯電体によって微小間隔を介して、被帯電体を帯電させる非接触式の帯電装置において、指向性設定手段によって、被帯電体の内部騒音に指向性を設定することが可能になり、静音手段によって、指向性が設定された内部騒音に対して、吸音処理、消音処理或いは防音処理が行なわれ、内部騒音の大幅な静音化が可能になる。
【００２６】
第２の発明によると、被帯電体に帯電体を対接させ、帯電体によって被電体を帯電させる接触式の電装置、或いは被帯電体と帯電体とを、微小間隔を保って互いに対向させ、帯電体によって微小間隔を介して、被帯電体を帯電させる非接触式の帯電装置の静音方法において、指向性設定ステップで、被帯電体から発生する内部騒音に指向性を設定することが可能になり、静音ステップで、指向性設定ステップで指向性が設定された内部騒音が集音され、吸音処理、消音処理或いは防音処理が行なわれ、内部騒音の大幅な静音化が可能になる。
【００２７】
第３の発明によると、被帯電体内部に形成され、内周面が円錐面または類似円錐面、或いは円錐台面または類似円錐台面である空洞流路を指向性設定手段とし、空洞流路の底部に配設された吸音材を静音手段として、第１の発明で得られる効果を実現することが可能になる。
【００２８】
第４の発明によると、指向性設定ステップで、被帯電体内部に形成され、内周面が円錐面または類似円錐面、或いは円錐台面または類似円錐台面である空洞流路によって、内部騒音に指向性を設定することが可能になり、静音ステップで、指向性設定ステップで指向性が設定された内部騒音を、空洞流路の底部に配設された吸音材に集音して、吸音処理、消音処理或いは防音処理が行なわれ、第２の発明で得られる効果を実現することが可能になる。
【００２９】
第５の発明によると、被帯電体内部に形成され、内周面が回転双曲面または類似回転双曲面である空洞流路を指向性設定手段とし、空洞流路の被帯電体の軸芯方向の一端に配設された吸音材を静音手段として、第１の発明で得られる効果を実現することが可能になる。
【００３０】
第６の発明によると、指向性設定ステップでは、被帯電体内部に形成され、内周面が回転双曲面または類似回転双曲面である空洞流路によって、内部騒音に指向性を設定することが可能になり、静音ステップでは、指向性設定ステップで指向性が設定された内部騒音を、空洞流路の被帯電体の軸芯方向の一端に配設された吸音材に集音して、吸音処理、消音処理或いは防音処理が行なわれ、第２の発明で得られる効果を実現することが可能になる。
【００３１】
第７の発明によると、被帯電体内部に形成され、内周面が回転放物面または類似回転放物面である空洞流路を指向性設定手段とし、空洞流路の被帯電体の軸芯方向の一端に配設された吸音材を静音手段として、第１の発明で得られる効果を実現することが可能になる。
【００３２】
第８の発明によると、指向性設定ステップでは、被帯電体内部に形成され、内周面が回転双曲面または類似回転双曲面である空洞流路によって、内部騒音に指向性を設定し、静音ステップでは、指向性設定ステップで指向性が設定された内部騒音を、空洞流路の被帯電体の軸芯方向の一端に配設された吸音材に集音して、吸音処理、消音処理或いは防音処理が行なわれ、第２の発明で得られる効果を実現することが可能になる。
【００３３】
第９の発明によると、被帯電体内部に形成され、内周面が円錐面、円錐台面、回転双曲面、回転放物面、及びこれらに類似の曲面から選択された複数の曲面が連続配設された空洞流路を指向性設定手段とし、空洞流路の被帯電体の軸芯方向の一端に配設された吸音材を静音手段として、第１の発明で得られる効果を実現することが可能になる。
【００３４】
第１０の発明によると、指向性設定ステップでは、被帯電体内部に形成され、内周面が円錐面、円錐台面、回転双曲面、回転放物面、及びこれらに類似の曲面から選択された複数の曲面が連続配設された空洞流路によって、内部騒音に指向性を設定し、静音ステップでは、指向性設定ステップで指向性が設定された内部騒音を、空洞流路の被帯電体の軸芯方向の一端に配設された吸音材に集音して、吸音処理、消音処理或いは防音処理に基づいて静音化を行なうことにより、第２の発明で得られる効果を実現することが可能になる。
【発明を実施するための最良の形態】
【００３５】
以下に本発明を各実施の形態に基づいて順次説明するが、各実施の形態の説明に先立って、各実施の形態が組み込み使用される画像形成装置として、複写機を取り上げてその全体構成を図６を参照して説明する。
図６は画像形成装置の全体構成を示す説明図である。
【００３６】
図６に示す複写機は、一般にコンソールタイプと呼ばれるもので、床面に載置した状態での使用に便利なように、装置に十分の高さが設定されており、装置は上部分６と下部分７とに分割されている。上部分６の上方には、原稿の読取りが行なわれる自動原稿読取り装置１ｃが配設されており、上部分５には、自動原稿読取り装置１ｃの読取信号を光学処理する光学ユニット１ａ、及び光学ユニット１ａからの出力信号に基づいて、原稿画像の作像処理を行なう画像形成ユニット１が設けられている。また、下部分７には、複数サイズの転写紙Ｐがそれぞれ載置される複数の給紙カセットが収納された給紙ユニット１ｂが設けられている。
【００３７】
自動原稿読取り装置１ｃの原稿台１ｃ１に載置された原稿Ｏは、光学ユニット１ａのケース１ａ１に保持配置されているコンタクトガラス１ａ２に自動給送されて停止する。
次いで、光学ユニット１ａの光源１ａ３が、図６の矢印Ａ方向に移動し、この時に原稿Ｏの原稿面が光源１ａ３によりにより照明され、原稿の画像が結像光学系１ａ４によって、画像形成ユニット１の画像担持体１ｄである感光体ドラム上に結像される。
画像担持体１ｄである感光体ドラムは、同図の矢印Ｂに示す時計回り方向に回転し、帯電チャージャ１ｅによって表面が一様に帯電され、この帯電面に光学ユニット１ａによって、原稿画像の結像が行なわれる。
このようにして、画像担持体１ｄである感光体ドラム上に、原稿画像の静電潜像が形成され、この静電潜像は、画像形成ユニット１の現像ユニット１ｆによって、トナー像として可視像化される。
【００３８】
一方、下部分７に配設されている給紙ユニット１ｂから、転写紙Ｐが画像担持体１ｄである感光体ドラムに向けて給送され、画像形成ユニット１の転写チャージャによって、感光体ドラム上のトナー像が転写紙Ｐに転写される。
この場合、一枚目のコピー時間を短縮するために、給紙ユニット１ｂで転写紙Ｐが分離されると、図示せぬ搬送モータが高速回転して、転写紙Ｐを感光体ドラムまで高速で搬送するモードを備えることも可能である。
トナー像が転写された転写紙Ｐは、画像形成ユニット１の定着ユニット１ｈを通過し、定着ユニット１ｈによって、転写されたトナー像が転写紙Ｐに定着され、画像形成処理が完了した転写紙Ｐは、コピー紙として機外に排出される。
この場合、両面コピー動作を行なわせることも可能であるが、ここでは説明を割愛する。また、画像担持体１ｄである感光体ドラム上に残留するトナーは、画像形成ユニット１のクリーニングユニット１ｉによって除去され、感光体ドラムのクリーニングが行なわれる。
【００３９】
以上に説明したように、複写機は画像形成ユニット１内や給紙ユニット１ｂには、各種の部品やユニットが配設されているが、これら部品やユニットの駆動には、図６には図示しない複数の駆動モータの回転力が使用されており、また、画像形成ユニット１の光学ユニット１ａ、光源１ａ３、給紙ユニット１ｂの各種部品は、構造体２に支持されている。特に、画像担持体１ｄである感光体ドラムなどの回転運動を行なう中空ローラには、構造体２と接合する図示せぬ棒状の回転軸が取り付けられ、回転軸の偏芯を抑えて回転するように構造体２に支持されている。
【００４０】
この構造体２の構成を図７を参照して説明する。
図７は画像形成装置の構造体の分解斜視図である。
同図に示すように、構造体２は、図６の上部分６を支持する上部骨格体２ｂと、図６の下部分７を支持する下部骨格体２ｃとで構成されている。
上部骨格体２ｂは、光学ユニット１ａと、画像形成ユニット１の画像担持体１ｄ、現像ユニット１ｆ、定着ユニット１ｈ及びクリーニングユニット１ｉとを主に支持している。また、下部骨格体２ｃは、給紙ユニット１ｂを主に支持している。
下部骨格部２ｃは、底部の板部材２ａと骨組部材２ｄ１〜骨組部材２ｄ９とを組み付け溶接によって一体に固着した構成となっている。
板部材２ａは、絞り加工が施された内側板部材２ａ１と、外側板部材２ａ２とを互いに組み付け、溶接によって一体に固定した剛性の高い構成となっている。
内側板部材２ａ１の四隅のコーナー部に、骨組部材２ｄ１〜２ｄ４の下端が、骨組部材２ｄ１〜２ｄ４が垂直になるように溶接固着されている。
【００４１】
また、図７において、矢印Ｃ方向が複写機の手前側で、オペレータが通常向き合う側となり、矢印Ｄが複写機の奥側で、矢印Ｅが複写機に向き合ったオペレータの左右方向になる。板部材２ａに固定された骨組部材２ｄ１〜２ｄ４の内、手前側の骨組部材２ｄ１、２ｄ３の上部と、奥側の骨組部材２ｄ２、２ｄ４の上部に、それぞれ左右方向に延びる骨組部材２ｄ５と骨組部材２ｄ６とが溶接により固着されている。
さらに、手前側の骨組部材２ｄ１と奥側の骨組部材２ｄ２には、前後に延びる骨組部材２ｄ７の両端部が溶接により固着されている。同様に、前後の骨組部材２ｄ５と骨組部材２ｄ６にも、前後に延びる骨組部材２ｄ８と骨組部材２ｄ９の両端が、それぞれ溶接により固着されている。
実際の製造時には、骨組部材２ｄ５、２ｄ６、２ｄ８、２ｄ９を一体に溶接固着したものを、骨組部材２ｄ１、２ｄ２、２ｄ３、２ｄ４の上端に溶接固着すると、作業効率よく製造することができる。
【００４２】
一方、上部骨格体２ｂは、水平面内で骨組部材２ｄ１０、２ｄ１１、２ｄ１２、２ｄ１３を矩形状に組み付け溶接により固着し、これに必要に応じて補強用の骨組部材２ｄ１４を組みつけ溶接により固着され、手前側の骨組部材２ｄ１５と骨組部材ｄ１６の上端間に骨組部材２ｄ２０が、奥側の骨組部材２ｄ１７と骨組部材２ｄ１８の上端間に骨組部材２ｄ１９が、それぞれ溶接により固着されている。
さらに、前後の骨組部材２ｄ１５、２ｄ１７の上端近傍間に、骨組部材２ｄ２１が、前後の骨組部材２ｄ１６２ｄ１８の上端近傍間に、骨組部材２ｄ２２がそれぞれ溶接により固着されている。
【００４３】
そして、このようにして得られた上部骨格体２ｂと、すでに説明した下部骨格体２ｃとが互いに組み付られて、構造体２が構成されているが、下部骨格体２ｃの奥側の骨組部材２ｄ６の両端の上面には、上方に突出する少なくとも２個のピン２ｅが固定され、このピン２ｅが上部骨格体２ｂの骨組部材２ｄ１０、２ｄ１２の奥側端部に穿設された取り付け孔２ｆに嵌合され位置決めされている。この場合、一対の取り付け孔２ｆの一方を長孔にすると位置決めに都合がよい。
このように構成される構造体２の外周面には、外装材８が取り付けられ、ユーザに対する安全性が高められ、構造体２内部への粉塵の侵入が防止され、騒音の外部への漏れが防止され、外観美が高められている。
また、構造体２の各骨組部材は、スポット溶接とフラグ溶接の少なくも一方の溶接方で結合されるが、溶接電極が挿入できる個所ではスポット溶接が行なわれ、溶接電極が挿入できない箇所では、結合すべき一方の骨組部材に、例えば長穴を開けてプラグ溶接が行なわれる。
【００４４】
このような構成の複写機では、非特許文献１にも記載されているように、画像担持体１ｄが帯電周波数の２倍の周波数の騒音を放出している。
本発明では、各実施の形態において、画像担持体１ｄの内部で発生する内部騒音を低減する静音機構付帯電装置を提案する。
【００４５】
〔第１の実施の形態〕
本発明の第１の実施の形態を、図１を参照して説明する。
図１は本発明の第１の実施の形態の要部構成を示す説明図である。
【００４６】
本実施の形態では、外観が円柱状の画像担持体１ｄＡの内部に軸芯を中心として、内周面が円錐面１２である内部空洞１０Ａが、画像担持体１Ｄａの軸芯方向の全長にわたって穿設されており、円錐面１２の底部位置に、画像担持体１ｄＡの半径と同一半径の円板状の吸音材１１Ａが配設されている。
このような構成の本実施の形態では、画像形成装置に組み込まれている各種の部品やユニットからの帯電信号による振動によって、画像担持体１ｄＡが振動して騒音が発生するが、特に像担持体１ＡｄＡの内部の気柱共鳴音が、帯電信号の周波数及びその整数倍の周波数に一致していると発生する内部騒音のレベルが増大することになる。
【００４７】
このように発生する内部騒音の画像担持体１ｄＡ内部での伝播方向は、画像担持体１ｄＡ内での気体（空気）の対流方向に従うが、本実施の形態では、図１の画像担持体１ｄＡの軸芯方向の左側から右側に対流方向が設定されている。
ところで、音はその周波数が高い場合には、光などと同様に直進性が高くなり、周波数が低い場合には、回折性（散逸性）が高くなることが知られている。
【００４８】
本実施の形態では、内部空洞１０Ａ内を通過する内部騒音の内で高い周波数の音は、円錐面１２との反射を繰り返して進行し、低い周波数の音は、円錐面１２に沿った方向に回折して進行し、画像担持体１ｄＡ内で指向性を与えられて吸音材１１Ａによって、吸音処理、消音処理或いは防音処理に基づく静音化が行なわれる。
【００４９】
このように、本実施の形態によると、画像担持体１ｄＡの内部に発生する内部騒音を、画像担持体１ｄＡ内に穿設された内周面が円錐面１２の内部空洞１０Ａによって、画像担持体１ｄＡの軸芯方向に指向性を設定することが可能になり、指向性が設定された内部騒音に対して、画像担持体１ｄＡの軸芯方向の一端に設けた吸音材１１Ａによって、吸音処理、消音処理或いは防音処理が行なわれ、内部騒音の静音化を行なうことが可能になる。
【００５０】
〔第２の実施の形態〕
本発明の第２の実施の形態を、図２及び図８ないし図１１を参照して説明する。
図２は本発明の第２の実施の形態の要部構成を示す説明図、図８は回転双曲面の形状を示す説明図、図９は回転放物面の形状を示す説明図、図１０は回転双曲面内部における音の流れを示す説明図、図１１は回転放物面内部における音の流れを示す説明図である。
【００５１】
本実施の形態では、外観が円柱状の画像担持体１ｄＢの内部に軸芯を中心として、内周面が回転放物面１３である内部空洞１０Ｂａと、内周面が回転双曲面である内部空洞１０Ｂｂとが連続穿設された内部空洞１０Ｂが、画像担持体１ｄＢの軸芯方向の全長にわたって穿設されている。そして、画像担持体１ｄＢの内部空洞１０Ｂｂ側の端部に、回転双曲面１４が端面を貫通する円と同一半径の円板状の吸音材１１Ｂが配設されている。
内部空洞１０Ｂａの内周面を構成する回転放物面１３は、図９に示すような形状の曲面であり、同様に内部空洞１０Ｂｂの内周面を構成する回転双曲面１４は、図８に示すような形状の曲面である。
また、回転双曲面１４は、ａ、ｂ、ｃを、０以外の任意の自然数として、［数１］に示す数式で表示され、回転放物面１３は、ａ、ｂ、ｃを０以外の自然数として、［数２］に示す数式で表示される。
【００５２】
【数１】
2006072091.tif 000003
【００５３】
【数２】
2006072091.tif 000004
【００５４】
本実施の形態では、図１０に示すように、内部空洞１０Ｂｂ内を通過する内部騒音の内で高い周波数の音Ｈは、回転双曲面１４との反射を繰り返して進行するが、回転双曲面１４内部では、曲面の傾きが常に正であるために、内部騒音は、必ず面の解放方向に集束されていく。また、内部騒音の内で低い周波数の音Ｌは、回転双曲面１４沿った方向に回折していく。
【００５５】
一方、画像担持体１ｄＢを軸芯を含む面での断面で、回転放物面１３部分に得られる放物線に対して、横軸をｘ軸、縦軸をｙ軸とし、焦点をＦ（ｐ、０）とする放物線は、［数３］に示す数式で表示される。
【００５６】
【数３】
2006072091.tif 000005
【００５７】
このために、内部空洞１０Ｂａ内を通過する内部騒音の内で高い周波数の音Ｈは、図１１に示すように、回転放物面１３で何度かの反射を繰り返しながら、必ず焦点Ｆの近傍に集束されていく。また、内部空間１０Ｂａ内を通過する内部騒音の内で低い周波数の音Ｌは、回転双曲面の場合と同様に、回転放物面１３に沿って回折するので、内部空洞１０Ｂａでは、内部騒音の高低何れの周波数の音も、必ず画像担持体１ｄＢの軸芯近傍に集束される。
【００５８】
このようにして、本実施の形態では、内部騒音は、内部空洞１０Ｂａの回転放物面１３と、内部空洞１０Ｂｂの回転双曲面１４とによって、画像担持体１ｄＢの軸芯近傍に指向性が与えられ、画像担持体１ｄＢの軸芯の一方側端部に配設された吸音材１１Ｂによって、吸音処理、消音処理或いは防音処理に基づく静音化が行なわれる。
【００５９】
以上に説明したように、本実施の形態によると、画像担持体１ｄＢの内部に発生する内部騒音を、画像担持体１ｄＢ内に穿設された内周面が回転放物面１３の内部空洞１０Ｂａと、内部空洞１０Ｂａに連続して穿設された内周面が回転双曲面１４の内部空洞１０Ｂｂとによって、画像担持体１ｄＢの軸芯近傍に指向性を設定することが可能になり、指向性が設定された内部騒音に対して、画像担持体１ｄＢの軸芯方向の一端の軸芯中心の近傍位置に設けた吸音材１１Ｂによって、吸音処理、消音処理或いは防音処理が行なわれ、内部騒音の静音化を行なうことが可能になる。
【００６０】
〔第３の実施の形態〕
本発明の第３の実施の形態を、図３を参照して説明する。
図３は本発明の第３の実施の形態の要部構成を示す説明図である。
【００６１】
本実施の形態では、外観が円柱状の画像担持体１ｄＣの内部に軸芯を中心として、内周面が回転双曲面１４である内部空洞１０Ｃが、画像担持体１ｄＣの軸芯方向の全長にわたって穿設されており、画像担持体１ｄＣの軸芯方向の一端に、画像担持体１ｄＣの半径と同一半径の円板状の吸音材１１Ａが配設されている。
【００６２】
本実施の形態では、第２の実施形態の内部空洞１０Ａｂについて説明したように、内部空洞１０Ｃ内を通過する内部騒音の内で高い周波数の音Ｈは、回転双曲面１４との反射を繰り返して進行するが、回転双曲面１４内部では、曲面の傾きが常に正であるために、内部騒音は、必ず面の解放方向に集約されていく。また、内部騒音の内で低い周波数の音Ｌは、回転双曲面１４沿った方向に回折していく。
このようにして、画像担持体１ｄＣの内部空洞１０Ｃで指向性を与えられた内部騒音は、画像担持体１ｄＣの軸芯方向の一端に設けた吸音材１１Ａによって、吸音処理、消音処理或いは防音処理に基づく静音化が行なわれる。
【００６３】
このように、本実施の形態によると、画像担持体１ｄＣの内部に発生する内部騒音を、画像担持体１ｄＣ内に穿設された内周面が回転双曲面１４の内部空洞１９Ｃによって、画像担持体１ｄＣの軸芯方向に指向性を設定することが可能になり、指向性が設定された内部騒音に対して、画像担持体１ｄＣの軸芯方向の一端に設けた吸音材１１Ａによって、吸音処理、消音処理或いは防音処理が行なわれ、内部騒音の静音化を行なうことが可能になる。
【００６４】
〔第４の実施の形態〕
本発明の第４の実施の形態を、図４を参照して説明する。
図４は本発明の第４の実施の形態の要部構成を示す説明図である。
【００６５】
本実施の形態では、外観が円柱状の画像担持体１ｄＤの内部に軸芯を中心として、内周面が回転放物面１３である内部空洞１０Ｄが、画像担持体１ｄＤの軸芯方向の全長にわたって穿設されており、画像担持体１ｄＤの軸芯方向の一端に軸芯を中心とし、軸芯回りの近傍に、円板状の吸音材１１Ｂが配設されている。
【００６６】
本実施の形態では、第２の実施形態の内部空洞１０Ａａについて説明したように、内部空洞１０Ｄ内を通過する内部騒音の内で高い周波数の音Ｈは、図１１に示すように、回転放物面１３で何度かの反射を繰り返しながら、必ず焦点Ｆの近傍に集束されていく。また、内部空間１０Ｄ内を通過する内部騒音の内で低い周波数の音Ｌは、回転放物面１３に沿って回折するので、内部空洞１０Ｄでは、内部騒音の高低何れの周波数の音も、必ず画像担持体１ｄＢの軸芯近傍に集束される。
【００６７】
このようにして、本実施の形態では、内部騒音は、内部空洞１０Ｄの回転放物面１３によって、画像担持体１ｄＤの軸芯近傍に指向性が与えられ、画像担持体１ｄＤの軸芯の一方側端部に配設された吸音材１１Ｂによって、吸音処理、消音処理或いは防音処理に基づく静音化が行なわれる。
【００６８】
以上に説明したように、本実施の形態によると、画像担持体１ｄＤの内部に発生する内部騒音を、画像担持体１ｄＤ内に穿設された内周面が回転放物面１３の内部空洞１０Ｄによって、画像担持体１ｄＤの軸芯近傍に指向性を設定することが可能になり、指向性が設定された内部騒音に対して、画像担持体１ｄＤの軸芯方向の一端の軸芯中心の近傍位置に設けた吸音材１１Ｂによって、吸音処理、消音処理或いは防音処理が行なわれ、内部騒音の静音化を行なうことが可能になる。
【００６９】
〔第５の実施の形態〕
本発明の第５の実施の形態を、図５を参照して説明する。
図５は本発明の第５の実施の形態の要部の構成を示す説明図である。
【００７０】
本実施の形態では、外観が円柱状の画像担持体１ｄＥの内部に軸芯を中心として、内周面が円錐面１２である内部空洞１０Ｅが、画像担持体１ｄＥの一端から軸芯方向の一部にわたって穿設されており、画像担持体１ｄＥの他端位置に、画像担持体１ｄＥの半径と同一半径の円板状の吸音材１１Ａが配設されている。
【００７１】
本実施の形態では、内部空洞１０Ｅ内を通過する内部騒音の内で高い周波数の音は、円錐面１２との反射を繰り返して進行し、低い周波数の音は、円錐面１２に沿った方向に回折して進行し、画像担持体１ｄＥ内で指向性を与えられて吸音材１１Ａによって、吸音処理、消音処理或いは防音処理に基づく静音化が行なわれる。
【００７２】
このように、本実施の形態によると、画像担持体１ｄＥの内部に発生する内部騒音を、画像担持体１ｄＥ内に穿設された内周面が円錐面１２の内部空洞１９Ｅによって、画像担持体１ｄＥの軸芯方向に指向性を設定することが可能になり、指向性が設定された内部騒音に対して、画像担持体１ｄＥの軸芯方向の一端に設けた吸音材１１Ａによって、吸音処理、消音処理或いは防音処理が行なわれ、内部騒音の静音化を行なうことが可能になる。
【図面の簡単な説明】
【００７３】
【図１】本発明の第１の実施の形態の要部構成を示す説明図である。
【図２】本発明の第２の実施の形態の要部構成を示す説明図である。
【図３】本発明の第３の実施の形態の要部構成を示す説明図である。
【図４】本発明の第４の実施の形態の要部構成を示す説明図である。
【図５】本発明の第５の実施の形態の要部構成を示す説明図である。
【図６】画像形成装置の全体構成を示す説明図である。
【図７】画像形成装置の構造体の分解斜視図である。
【図８】回転双曲面の形状を示す説明図である。
【図９】回転放物面の形状を示す説明図である。
【図１０】回転双曲面内部における音の流れを示す説明図である。
【図１１】回転放物面内部における音の流れを示す説明図である。
【符号の説明】
【００７４】
１ｄＡ〜１ｄＥ  画像担持体
１０ａＡ〜１０Ｅ  内部空洞
１０Ｂａ、１０Ｂｂ  内部空洞
１１Ａ、１１Ｂ  吸音材
１２  円錐面
１３  回転放物面
１４  回転双曲面
【図１】
2006072091.tif 000006
【図２】
2006072091.tif 000007
【図３】
2006072091.tif 000008
【図４】
2006072091.tif 000009
【図５】
2006072091.tif 000010
【図６】
2006072091.tif 000011
【図７】
2006072091.tif 000012
【図８】
2006072091.tif 000013
【図９】
2006072091.tif 000014
【図１０】
2006072091.tif 000015
【図１１】
2006072091.tif 000016